(57)【特許請求の範囲】
【請求項１】
スタンド部と、そのスタンド部の上部に取り付けられる本体部とを有する筐体の取付構造において、
前記本体部の底面には、挿入口を備えるように、前記底面から断面略Ｌ字状に先端が内側に折り曲げられ、側面方向に延びて形成された２つのガイド部が設けられ、
前記スタンド部の上面には、前記挿入口に挿入され、２つのガイド部にそれぞれ嵌合されるように、前記上面から断面略逆Ｌ字状に先端が外側に折り曲げられ、側面方向に延びて形成された２つのガイド受け部が設けられ、
前記本体部の底面には、さらに、前記ガイド部の挿入口と反対側の位置に設けられた当接部と、その当接部に当接されるまで挿入された前記ガイド受け部を保持して前記ガイド部から離脱するのを防止する離脱防止爪部とが設けられている、
ことを特徴とする筐体の取付構造。
【請求項２】
前記離脱防止爪部は、前記ガイド受け部の挿入先端側と反対側の端部に当接することを特徴とする請求項１に記載の筐体の取付構造。
【請求項３】
前記離脱防止爪部は、前記ガイド受け部を保持する方向に付勢しており、前記ガイド受け部が前記ガイド部の挿入口に挿入できるように変形可能であることを特徴とする請求項１又は２に記載の筐体の取付構造。
【請求項４】
前記本体部は、第１のケースと第２のケースとから構成され、第１のケースには係止爪受け部が設けられ、第２のケースには、前記第１のケースの係止爪受け部に係止される係止爪部が設けられ、前記第１のケース及び第２のケースの底面にそれぞれ前記ガイド部が設けられている、
ことを特徴とする請求項１乃至３のいずれか１つの項に記載の筐体の取付構造。
【請求項５】
前記本体部は、第１のケースと第２のケースとから構成され、
第１のケースの上端部には、第１の開口部が形成された第１の係止爪受け部が設けられ、その下端部には、第２の開口部が形成された第２の係止爪受け部が設けられ、
第２のケースの上端部には、前記第１の係止爪受け部の第１の開口部に挿入され係止される第１の係止爪部と、前記第１の係止爪部に形成され、第１の開口部に挿入後、前記第１の開口部の下側外縁部に引っ掛かる突出部とが設けられ、その下端部には、前記第２の係止爪受け部の第２の開口部に挿入され係止される第２の係止爪部が設けられ、
前記第１のケース及び第２のケースの底面にそれぞれ前記ガイド部が設けられている、
ことを特徴とする請求項１乃至３のいずれか１つの項に記載の筐体の取付構造。
【発明の詳細な説明】
【０００１】
【発明の属する技術分野】
本発明は、電気装置、電子装置、通信装置などの各種装置に用いられ、スタンド部と、そのスタンド部に取り付けられる本体部とを有する筐体の取付構造に関し、特に、ネジなどの締結部品や工具を用いることなく、スタンド部に本体部を取り付けることができる筐体の取付構造に関する。
【０００２】
【従来の技術】
図６は、従来の取付構造を適用した筐体を示す斜視図、図７（Ａ）は本体部とスタンド部との従来の取付構造を示す正面断面図であり、（Ｂ）はその側面断面図である。
【０００３】
図６に示すように、この筐体は、デスクや床面などに設置されるスタンド部５０と、そのスタンド部５０の上部に取り付けられ、直立状態に支持される本体部５１とを有する。
【０００４】
本体部５１は、第１のケース（ベース）５２と第２のケース（カバー）５３とに分割されて構成されており、それぞれのケースはネジなどの締結部品５４によって固定されている。
【０００５】
図７（Ａ）及び（Ｂ）に示すように、スタンド部５０の上面には、断面略逆Ｌ字状に長手方向に延びて形成された２つのガイド受け部５５が設けられている。第１のケース５２及び第２のケース５３の各底面には、断面略Ｌ字状に長手方向に延びて形成され、スタンド部５０のガイド受け部５５が挿入され嵌合される挿入口を備えたガイド部５６が設けられている。
【０００６】
次に、上記筐体の取付方法について説明する。まず、ドライバーなどの工具を使用してネジなどの締結部品５４で第１のケース５２及び第２のケース５３を固定して、本体部５１を組み立てる。
【０００７】
次いで、本体部５１のガイド部５６の挿入口にガイド受け部５５を挿入して嵌合する。  以上の工程により筐体の取付作業が完了する（以下、この技術を従来例１という）。
【０００８】
また、ネジを使用しないで取り付ける工法として、接着剤を用いる接着工法、加熱による熱融着工法、微振動による超音波融着工法などが知られている（以下、この技術を従来例２という）。
【０００９】
また、特開平８−２２２８８１号公報には、ネジを用いることなく、プリント基板を筐体に固定する方法が開示されている（以下、この技術を従来例３という）。
【００１０】
さらに、特開平７−１９１７８１号公報には、片側が嵌め込み式で、反対側がスライド式の係合部を設け、ネジを用いることなく、容易な外装部品の組み付け及び分解ができる情報処理装置が開示されている（以下、この技術を従来例４という）。
【００１１】
【発明が解決しようとする課題】
従来例１の筐体の取付構造では、ネジなどの締結部品を用いているので、締結部品に要する資材費及び組み立て工数が増大し、量産性およびコスト低減に限界がある。また、組立分解作業時にドライバーなどの工具を必要とするため、作業が面倒であり、作業性が悪い。さらに、本体部とスタンド部の固定がガイド形状による圧入のみによって行っているため、不慮の落下や衝撃によりスタンド部と本体部とが容易に離脱してしまうおそれがある。
【００１２】
従来例２のように、ネジを使用しない工法では、各工法に適合する特殊設備が必要となり、新たな設備投資が必要になる。また、一旦固定させてしまうと分解不可能であり、調整や修理などが困難である。従って、故障などが生じた場合には、筐体を廃棄せざるを得ず部品を無駄にしてしまうことになる。
【００１３】
従来例３及び従来例４には、スタンド部に本体部を取り付ける筐体の取付構造については、何ら開示されておらず、それを示唆する記載もない。
【００１４】
本発明の目的は、ネジなどの締結部品や工具、特殊な工法を用いることなく、スタンド部に本体部を容易に取り付けることができる筐体の取付構造を提供することにある。
【００１５】
【課題を解決するための手段】
本発明の第１の筐体の取付構造は、スタンド部と、そのスタンド部に取り付けられる本体部とを有する筐体の取付構造において、
前記スタンド部の上面には、断面略逆Ｌ字状に長手方向に延びて形成されたガイド受け部が設けられ、
前記本体部の底面には、断面略Ｌ字状に長手方向に延びて形成され、前記ガイド受け部が挿入して嵌合される挿入口を備え、その挿入口の挿入側と反対側の位置に当接部を備えたガイド部と、そのガイド部の当接部に当接されるまで挿入されたガイド受け部を保持して前記ガイド部から離脱するのを防止する離脱防止爪部とが設けられている、ことを特徴とするものである。
【００１６】
本発明の第２の筐体の取付構造は、前記本体部の底面には、断面略Ｌ字状に長手方向に延びて形成されたガイド受け部が設けられ、
前記スタンド部の上面には、断面略逆Ｌ字状に形成され、前記ガイド受け部が挿入して嵌合される挿入口を備え、その挿入口の挿入側と反対側の位置に当接部を備えたガイド部と、そのガイド部の当接部に当接されるまで挿入されたガイド受け部を保持して前記ガイド部から離脱するのを防止する離脱防止爪部とが設けられていることを特徴とするものである。
【００１７】
前記離脱防止爪部は、前記ガイド受け部の挿入先端側と反対側の端部に当接してもよい。
【００１８】
前記離脱防止爪部は、前記ガイド受け部を保持する方向に付勢しており、前記ガイド受け部が前記ガイド部の挿入口に挿入できるように変形可能であってもよい。
【００１９】
前記本体部は、第１のケースと第２のケースとから構成され、第１のケースには係止爪受け部が設けられ、第２のケースには、前記第１のケースの係止爪受け部に係止される係止爪部が設けられ、前記第１のケース及び第２のケースの底面にそれぞれ前記ガイド部が設けられていてもよい。
【００２０】
前記本体部は、第１のケースと第２のケースとから構成され、
第１のケースの上端部には、第１の開口部が形成された第１の係止爪受け部が設けられ、その下端部には、第２の開口部が形成された第２の係止爪受け部が設けられ、
第２のケースの上端部には、前記第１の係止爪受け部の第１の開口部に挿入され係止される第１の係止爪部と、前記第１の係止爪部に形成され、第１の開口部に挿入後、前記第１の開口部の下側外縁部に引っ掛かる突出部とが設けられ、その下端部には、前記第２の係止爪受け部の第２の開口部に挿入され係止される第２の係止爪部が設けられ、
前記第１のケース及び第２のケースの底面にそれぞれ前記ガイド部が設けられていてもよい。
【００２１】
本発明によれば、筐体の構成部材自体に締結機能を有しているので、資材費の構成部品であるネジなどの締結部品を必要とせず、それに付随して組み立て工程の中に締結工程を必要としない。
【００２２】
また、本体部又はスタンド部に離脱防止爪部が設けられているので、不慮の落下や衝撃によって本体部がスタンド部から離脱することを防止できる。
【００２３】
【発明の実施の形態】
以下、本発明の実施の形態を図面を参照しながら説明する。図１は、本発明の取付構造を適用した筐体を示す斜視図、図２は、第１のケース及び第２のケースを示す正面断面図であり、（Ａ）は取付前の状態を示し、（Ｂ）は取付後の状態を示し、図３（Ａ）は第１の係止爪受け部を示す平面図であり、（Ｂ）は第２の係止爪受け部を示す平面断面図であり、図４（Ａ）は本体部の正面図、（Ｂ）は、本体部とスタンド部との本発明の取付構造を示す正面断面図であり、図５（Ａ）は、本体部とスタンド部との本発明の取付構造を示す側面断面図であり、（Ｂ）は、本体部のガイド部の挿入口にガイド受け部を挿入している状態を示す側面断面図である。
【００２４】
図１に示すように、本発明の実施の形態に係る筐体は、デスクや床面などに設置されるスタンド部１と、そのスタンド部１の上部に取り付けられ、直立状態に支持される本体部２とを有する。スタンド部１及び本体部２は、歪み変形可能なプラスチック材料などで形成され、例えば樹脂材料であるＰＳ材、ＡＢＳ材、ポリスチレン材などを金型で一体成形して作られる。
【００２５】
本体部２は、第１のケース３と第２のケース４とに分割されて構成されている。第１のケース３の上端部には、図２（Ａ）及び図３（Ａ）に示すように、所定間隔を隔てて２つの第１の係止爪受け部５が設けられている。第１の係止爪受け部５には、係止用の第１の開口部５ａが形成されている。
【００２６】
一方、第２のケース４の上端部には、第１のケース３の第１の係止爪受け部５に対応した位置に、第１の係止爪受け部５に係止される第１の係止爪部６が設けられている。第１の係止爪部６には、第１の開口部５ａに挿入された後、第１の開口部５ａの下側外縁部に引っ掛かる突出部６ａが形成されている。
【００２７】
また、第１のケース３の下端部には、図２（Ａ）及び図３（Ｂ）に示すように、所定間隔を隔てて２つの第２の係止爪受け部７が設けられている。第２の係止爪受け部７には、係止用の第２の開口部７ａが形成されている。一方、第２のケース４の下端部には、第１のケース３の第２の係止爪受け部７に対応した位置に、第２の開口部７ａに挿入して係止される第２の係止爪部８が設けられている。なお、組立作業を容易にするために、第２の係止爪部８は、第２の開口部７ａに挿入された状態のときに、所定の隙間（例えば、０．２ｍｍ程度）が生じるような大きさ及び形状であるのが好ましい。
【００２８】
また、図４（Ｂ）及び図５（Ａ）に示すように、スタンド部１の上面には、断面略逆Ｌ字状に長手方向に延びて形成された２つのガイド受け部９が設けられている。第１のケース３及び第２のケース４の底面には、断面略Ｌ字状に長手方向に延びて形成され、スタンド部１のガイド受け部９が挿入して嵌合される挿入口１０を備えたガイド部１１と、そのガイド部１１に挿入されたガイド受け部９を保持してガイド部１１から離脱するのを防止する離脱防止爪部１２とが設けられている。図４（Ａ）及び図５（Ａ）に示すように、ガイド部１１の挿入口１０の挿入側と反対側の位置には、ガイド受け部９の先端部に当接する当接部１３を備えている。
【００２９】
離脱防止爪部１２は、ガイド受け部９を保持する方向（図面では下方向）に付勢しており、図５（Ｂ）に示すように、ガイド受け部９がガイド部１１の挿入口１０に挿入できるように、その基端部を支点として上方向に変形可能である。離脱防止爪部１２の先端部１２ａは、ガイド受け部９の挿入先端側と反対側の端部に当接して、ガイド受け部９の離脱を防止できるように、厚く形成されている。なお、離脱防止爪部１２は、１つだけで構成されていてもよく、複数個で構成されていてもよい。
【００３０】
次に、本発明の実施の形態に係る筐体の取付方法について説明する。
【００３１】
まず、第１のケース３の下部に設けられた第２の係止爪受け部７の第２の開口部７ａに第２のケース４の第２の係止爪部８を挿入する。
【００３２】
次いで、第１のケース３の上部に設けられた第１の係止爪受け部５の第１の開口部５ａに第１のケース３の第１の係止爪部６を挿入して、その第１の係止爪部６の突出部６ａを第１の開口部５ａの下側外縁部に引っ掛ける。これによって、本体部２を仮結合する。
【００３３】
次いで、離脱防止爪部１２の基端部を支点として上方向に変形した状態で、本体部２のガイド部１１の挿入口１０にガイド受け部９を挿入する。ガイド受け部９の先端部がガイド部１１の当接部１３に当接するまで挿入すると、離脱防止爪部１２は、その弾性力によりもとの位置に戻る。これによって、離脱防止爪部１２の先端部１２ａは、ガイド受け部９の挿入先端側と反対側の端部に当接するので、ガイド受け部９がガイド部１１の挿入口１０から抜けるのを防止することができる。
【００３４】
以上の工程により、本発明の実施の形態に係る筐体の取付作業が完了する。
【００３５】
本発明によれば、筐体の構成部材自体に締結機能を有しているので、資材費の構成部品であるネジなどの締結部品を必要とせず、それに付随して組み立て工程の中に締結工程を必要としない。その結果、量産性を向上させ、資材費と組み立て工数を含めたトータルのコストダウンを図ることができる。
【００３６】
組み立て時に工具を必要としないので、組立作業が容易になり、生産性が向上する。
【００３７】
分離、分解時に工具を必要としないで、リサイクル（資源循環）時の分離・分解作業が容易になり、資源の再利用性が向上する。
【００３８】
本体部２に離脱防止爪部１２が設けられているので、不慮の落下や衝撃によって本体部２がスタンド部１から離脱することを防止できる。
【００３９】
なお、装置内部の電気回路部品を実装したプリント配線基板の取付構造をも弾性爪などによってネジレス化すれば、完全に工具を用いない分離、分解可能な装置の筐体構造を提供することができる。
【００４０】
上記の実施の形態では、スタンド部１にガイド受け部９が設けられ、本体部２にガイド部１１と離脱防止爪部１２とが設けられている。これによって、スタンド部１の形状を簡単にでき、金型などのコストを抑えることができる。
【００４１】
ただ、スタンド部１の形状を複雑にできる場合には、上記の実施の形態と逆の構成にし、本体部２にガイド受け部９が設けられ、スタンド部１にガイド部１１と離脱防止爪部１２とが設けられているように構成してもよい。
【００４２】
本発明は、上記実施の形態に限定されることはなく、特許請求の範囲に記載された技術的事項の範囲内において、種々の変更が可能である。例えば、本体部２は、３つ以上のケースに分割して構成されていてもよい。また、第１の係止爪受け部５、第１の係止爪部６、第２の係止爪受け部７及び第２の係止爪部８の設置位置及び数は、実施の形態のものに限定されず、例えば、本体部２の側面側に設置したり、１又は３以上設置してもよい。さらに、スタンド部１及び本体部２の材質や形状は、明細書及び図面に開示されたものに限定されるものではなく、適宜変更できる。
【００４３】
【発明の効果】
本発明の筐体の取付構造によれば、次のような優れた効果を奏する。
【００４４】
（１）筐体の構成部材自体に締結機能を有しているので、資材費の構成部品であるネジなどの締結部品を必要とせず、それに付随して組み立て工程の中に締結工程を必要としない。その結果、量産性を向上させ、資材費と組み立て工数を含めたトータルのコストダウンを図ることができる。
【００４５】
（２）組み立て時に工具を必要としないので、組立作業が容易になり、生産性が向上する。
【００４６】
（３）分離、分解時に工具を必要としないで、リサイクル（資源循環）時の分離・分解作業が容易になり、資源の再利用性が向上する。
【００４７】
（４）本体部又はスタンド部に離脱防止爪部が設けられているので、不慮の落下や衝撃によって本体部がスタンド部から離脱することを防止できる。
【図面の簡単な説明】
【図１】本発明の取付構造を適用した筐体を示す斜視図である。
【図２】第１のケース及び第２のケースを示す正面断面図であり、（Ａ）は取付前の状態を示し、（Ｂ）は取付後の状態を示す。
【図３】（Ａ）は第１の係止爪受け部を示す平面図であり、（Ｂ）は第２の係止爪受け部を示す平面断面図である。
【図４】（Ａ）は本体部の正面図、（Ｂ）は、本体部とスタンド部との本発明の取付構造を示す正面断面図である。
【図５】（Ａ）は、本体部とスタンド部との本発明の取付構造を示す側面断面図であり、（Ｂ）は、本体部のガイド部の挿入口にガイド受け部を挿入している状態を示す側面断面図である。
【図６】従来の取付構造を適用した筐体を示す斜視図である。
【図７】（Ａ）は本体部とスタンド部との従来の取付構造を示す正面断面図であり、（Ｂ）はその側面断面図である。
【符号の説明】
１：スタンド部
２：本体部
３：第１のケース
４：第２のケース
５：第１の係止爪受け部
５ａ：第１の開口部
６：第１の係止爪部
６ａ：突出部
７：第２の係止爪受け部
７ａ：第２の開口部
８：第２の係止爪部
９：ガイド受け部
１０：挿入口
１１：ガイド部
１２：離脱防止爪部
１３：当接部
【図１】
0003675258.tif 000002
【図２】
0003675258.tif 000003
【図３】
0003675258.tif 000004
【図４】
0003675258.tif 000005
【図５】
0003675258.tif 000006
【図６】
0003675258.tif 000007
【図７】
0003675258.tif 000008